(57)【要約】  本発明は、複数のエレベータサブシステム（110；150）と、複数のエレベータサブシステム（110；150）を制御するように構成された群制御部（170）とを有するエレベータシステムに関する。群制御部（170）は、エレベータシステムの効率を判定し、エレベータシステムの効率に応じて、少なくとも１つのエレベータサブシステム（110；150）を制御し、少なくとも１つの他のエレベータサブシステム（110；150）とは異なる区域においてエレベータ呼に対処するように構成されている。本発明は、方法、群制御部およびコンピュータプログラム製品に関するものでもある。【選択図】図１
2021526493.tif 000002
【特許請求の範囲】
【請求項１】
それぞれが２つの水平区間によって相互に連結された第１の垂直区間および第２の垂直区間を含むループ径路内を走行するように配置された少なくとも１つのエレベータかご（115、120；155、160）を有する複数のエレベータサブシステム（110；150）を備え、前記少なくとも１つのエレベータかご（115、120；155、160）は前記ループ径路の第１の垂直区間を上昇して前記ループ径路の第２の垂直区間を下降するように構成され、さらに、
該複数のエレベータサブシステム（110；150）を制御するように構成されている群制御部（170）とを備えるエレベータシステムにおいて、前記群制御部（170）は、
該エレベータシステムの効率を判定し、
該エレベータシステムの効率に応じて、少なくとも１つのエレベータサブシステム（110；150）を、少なくとも１つの他のエレベータサブシステム（110；150）とは異なる区域においてエレベータ呼に対処するよう制御するように構成されていることを特徴とするエレベータシステム。
【請求項２】
請求項１に記載のエレベータシステムにおいて、前記群制御部（170）は、
各区域について、該区域に対する該エレベータシステムの効率を示す値を判定すること、
該判定された値の各々を対応する基準値と比較すること、および、
検出結果を設定して各区域に関する該エレベータシステムの効率を示すことによって、該エレベータシステムの効率を判定するように構成されていることを特徴とするエレベータシステム。
【請求項３】
請求項２に記載のエレベータシステムにおいて、前記対応する基準値は、すべての区域に対する共通の基準値または各区域に対して個別に規定された専用の基準値のうちいずれか一方であることを特徴とするエレベータシステム。
【請求項４】
請求項１ないし３のいずれかに記載のエレベータシステムにおいて、前記エレベータシステムの効率を判定するときに用いられる前記値は、前記区域における待ち時間であることを特徴とするエレベータシステム。
【請求項５】
エレベータシステムにおける少なくとも１つのエレベータサブシステム（110；150）の制御方法であって、前記エレベータシステムは複数のエレベータサブシステム（110；150）を備え、
該エレベータサブシステムのそれぞれは、２つの水平区間によって相互に連結された第１の垂直区間および第２の垂直区間を含むループ径路内を走行するように配置された少なくとも１つのエレベータかご（115、120；155、160）を有し、該少なくとも１つのエレベータかご（115、120；155、160）は前記ループ径路の第１の垂直区間を上昇して前記ループ径路の第２の垂直区間を下降するように構成され、該方法は、
前記エレベータシステムの効率を判定し（210）、
前記エレベータシステムの効率に応じて、少なくとも１つのエレベータサブシステム（110；150）を、少なくとも１つの他のエレベータサブシステム（110；150）とは異なる区域においてエレベータ呼に対処するように制御する（220）ことを特徴とする制御方法。
【請求項６】
請求項５に記載の方法において、前記エレベータシステムの効率は、
各区域について、該区域に対する前記エレベータシステムの効率を示す値を判定し、
該判定された値の各々を対応する基準値と比較し、
検出結果を設定して各区域に関する前記エレベータシステムの効率を示すことによって判定されることを特徴とする方法。
【請求項７】
請求項６に記載の方法において、前記対応する基準値は、すべての区域に対する共通の基準値または各区域に対して個別に規定された専用の基準値のうちいずれか一方であることを特徴とする方法。
【請求項８】
請求項５ないし７のいずれかに記載の方法において、前記エレベータシステムの効率を判定するときに用いられる前記値は、前記区域における待ち時間であることを特徴とする方法。
【請求項９】
少なくとも１つの処理部（410）と、
コンピュータプログラムコード（425）を含む少なくとも１つの記憶部（420）とを有する群制御部（170）であって、
前記少なくとも１つの記憶部（420）および前記コンピュータプログラムコードは、前記少なくとも１つの処理部（410）によって該群制御部（170）を制御して、
前記エレベータシステムの効率を判定させ、さらに、
前記エレベータシステムの効率に応じて、少なくとも１つのエレベータサブシステム（110；150）を、少なくとも１つの他のエレベータサブシステム（110；150）とは異なる区域においてエレベータ呼に対処するように構成されていることを特徴とする群制御部（170）。
【請求項１０】
少なくとも１つの処理部によって実行されると群制御部（170）に請求項５ないし８のいずれかに記載の方法を実施させるエレベータシステムを制御するコンピュータプログラム製品。
【発明の詳細な説明】
【技術分野】
【０００１】
本発明は、一般的にはエレベータの技術分野に関する。より具体的には、本発明は、エレベータシステムの制御に関する。
【背景】
【０００２】
公知のエレベータの型式の１つに、複数のエレベータかごが同一のエレベータシャフト内を走行する、いわゆるマルチカーエレベータシステムがある。マルチカーエレベータシステムは、原理的には、２つの異なる方式で具現化することができる。第１の具現例は、複数のエレベータかごが或るシャフト内を上昇するとともに他のシャフト内を下降し、エレベータかごがシャフト間を移動する移送路によってシャフトが互いに接続されているというものである。マルチカーエレベータシステムの第２の具現例は、複数のかごが相互に連結され、これらのかごが同一のシャフト内を上昇および下降する、いわゆるマルチデッキエレベータシステムである。
【０００３】
第１の具現例を確立する従前の態様は、エレベータかごが鎖状に配置され、エレベータかごは階床で停止せずに循環径路に沿ってゆっくりと移動し、乗客はかごに飛び乗りおよびかごから飛び降りる、いわゆるパーテルノステル式のエレベータシステムである。しかしながら、この型式の装置は安全性に課題があり、エレベータかごが循環径路内を走行する現代のマルチカーエレベータシステムによれば、エレベータかごはシャフト内で独立して移動できる。現代のマルチカーエレベータシステムは、シャフト内でエレベータかごを走行させる動力を生成するリニアモータなどのエレベータモータの少なくとも一部分をエレベータかごに配設した方式に基づくものである。
【０００４】
しかしながら、相互に連結された２つのシャフト内をエレベータかごが循環径路に沿って走行するマルチカーエレベータシステムは、いくつかの欠点を有する。なぜならば、エレベータかごが相互に独立して移動できたとしても互いに追い越すことができないためであり、これによって乗客に対するサービス時間は遅れてしまう。言い換えると、この具現例では、エレベータ呼があるたびにエレベータかごの割当てが制限されてしまう。
【概要】
【０００５】
以下に、簡略化した概要を示し、種々の発明の実施形態のいくつかの態様について基本的な理解が得られるようにする。概要は、発明の広範な大要ではない。概要は、発明の手がかりとなる要素または重要な要素を特定するものでも、発明の範囲を画定するものでもない。以下の概要は、単に、発明の実施形態を例示する一層詳細な説明の導入部として、簡略化した形式で発明のいくつかの概念を提示するものにすぎない。
【０００６】
本発明は、エレベータシステムならびにエレベータシステムを制御する方法、群制御部およびコンピュータプログラム製品を提供することを目的とする。
【０００７】
本発明の目的は、各独立請求項によって定義されるエレベータシステム、方法、群制御部およびコンピュータプログラム製品によって達成される。
【０００８】
第１の態様によると、次のようなエレベータシステムが提供される。すなわち、本エレベータシステムは、複数のエレベータサブシステムを備え、複数のエレベータサブシステムのそれぞれは、２つの水平区間によって相互に連結された第１の垂直区間および第２の垂直区間を含むループ径路内を走行するように配置された少なくとも１つのエレベータかごを有し、少なくとも１つのエレベータかごは、ループ径路の第１の垂直区間を上昇してループ径路の第２の垂直区間を下降するように構成され、本エレベータシステムは、複数のエレベータサブシステムを制御するように構成された群制御部とを備えている。群制御部は、エレベータシステムの効率を判定し、エレベータシステムの効率に応じて少なくとも１つのエレベータサブシステムを、少なくとも１つの他のエレベータサブシステムとは異なる区域においてエレベータ呼に対処するよう制御するように構成されている。
【０００９】
群制御部は、各区域について区域に対するエレベータシステムの効率を示す値を判定すること、判定された値の各々を対応する基準値と比較すること、および、検出結果を設定して各区域に関するエレベータシステムの効率を示すことによって、エレベータシステムの効率を判定するように構成されていてもよい。例えば、対応する基準値は、すべての区域に対する共通の基準値または各区域に対して個別に規定された専用の基準値のうちいずれか一方であってもよい。
【００１０】
代替的または追加的に、エレベータシステムの効率を判定するときに用いられる値は、区域における待ち時間であってもよい。
【００１１】
第２の態様によると、次のようなエレベータシステムにおける少なくとも１つのエレベータサブシステムの制御方法が提供される。すなわち本エレベータシステムは、複数のエレベータサブシステムを備え、複数のエレベータサブシステムのそれぞれは、２つの水平区間によって相互に連結された第１の垂直区間および第２の垂直区間を含むループ径路内を走行するように配置された少なくとも１つのエレベータかごを有し、少なくとも１つのエレベータかごは、ループ径路の第１の垂直区間を上昇してループ径路の第２の垂直区間を下降するように構成されている。本方法では、エレベータシステムの効率を判定し、エレベータシステムの効率に応じて少なくとも１つのエレベータサブシステムを制御するに際して、少なくとも１つの他のエレベータサブシステムとは異なる区域においてエレベータ呼に対処するようにする。
【００１２】
エレベータシステムの効率は、各区域についてその区域に関するエレベータシステムの効率を示す値を判定し、判定された値の各々を対応する基準値と比較し、検出結果を設定して各区域に対するエレベータシステムの効率を示すことによって判定されてもよい。例えば、対応する基準値は、すべての区域に対する共通の基準値または各区域に対して個別に規定された専用の基準値のうちいずれか一方であってもよい。
【００１３】
代替的または追加的に、エレベータシステムの効率を判定するときに用いられる値は、区域における待ち時間であってもよい。
【００１４】
第３の態様によると、少なくとも１つの処理部によって実行されると群制御部に上述の方法を実施させるエレベータシステムを制御するコンピュータプログラム製品が提供される。
【００１５】
第４の態様によると、次のような群制御部が提供される。すなわち本群制御部は、少なくとも１つの処理部と、コンピュータプログラムコードを含む少なくとも１つの記憶部とを有し、少なくとも１つの記憶部およびコンピュータプログラムコードは、少なくとも１つの処理部によって群制御部に、エレベータシステムの効率を判定させ、さらに、エレベータシステムの効率に応じて少なくとも１つのエレベータサブシステムを制御するに際して、少なくとも１つの他のエレベータサブシステムとは異なる区域においてエレベータ呼に対処するように構成されている。
【００１６】
本願において、「多数の」という語は、１から始まる任意の正の整数、例えば１、２または３のことを意味する。
【００１７】
本願において、「複数の」という語は、２から始まる任意の正の整数、例えば２、３または４のことを意味する。
【００１８】
構成および動作方法の両方に関して、本発明の例示的かつ非限定的な種々の実施形態は、本発明の付加的な目的および利点と併せて、添付図面と関連付けて読み取ることにより、例示的かつ非限定的な具体的実施形態についての下記説明から最適に理解できるであろう。
【００１９】
本願書類において、動詞「有する」および「含む」は、記載されていない構成の存在を除外も義務付けもしない、任意の限定として使用される。従属請求項に記載されている構成は、特に明示的に記載されていない限り、相互かつ自由に組合せ可能である。さらに、本願書類を通じて、「１つの」すなわち単数形の使用は、複数性を除外するものではないと理解すべきである。
【図面の簡単な説明】
【００２０】
本発明の実施形態は、添付図面での形象において例として示されるものであり、限定の意図で示されるものではない。
【図１】本発明に係るエレベータシステムの例を概略的に示す図である。
【図２】本発明の実施形態に係る方法の例を概略的に示す図である。
【図３】本発明の実施形態に係る方法の態様を概略的に示す図である。
【図４】本発明の実施形態に係る群制御部を概略的に示す図である。
【例示実施形態の説明】
【００２１】
明細書に記載される下記具体例は、添付の特許請求の範囲の技術的範囲および／または利用可能性を限定するものと理解すべきではない。明細書に記載される下記の一覧および群の例は、特に明示的な記載なき限り網羅的なものではない。
【００２２】
図１は、本発明によるエレベータシステムの例を概略的に示す。このエレベータシステムは、複数のサブシステム110、150を有する。ここで、サブシステムとは、少なくとも１つのエレベータかご115、120、155、160がループ径路内を走行するように配置された２本のシャフトＡ、ＢまたはシャフトＣ、Ｄ、すなわち、垂直区間を含むエレベータシステムのことを意味する。ループ径路とは、当該のエレベータかご115、120、155、160が第１の垂直区間内、例えば第１のシャフトＢ、Ｄ内で上昇し、第２の垂直区間内、例えば第２のシャフトＡ、Ｃ内で下降するように配置された具現例のことを意味する。エレベータかご115、120、155、160は、垂直区間間に配置され移送路としても認識される水平区間を通って、第１の垂直区間Ｂ、Ｄと第２の垂直区間Ａ、Ｃとの間を移動することができる。水平区間すなわち移送路は、例えば、図１で概略的に示すようにシャフトの上側区間および下側区間に配置されてもよい。各サブシステムにおけるエレベータかご115、120、155、160を移動させる動力生成手段は、任意の適切な手段で構わない。例えば、本発明ではリニアモータを使用することができる。しかしながら、本発明ではリニアモータのみに限らず、エレベータかごの移動を制御する制御装置によって制御可能ないかなる手段でも適用することができる。さらに、図１には２つのエレベータサブシステム110、150を示すが、サブシステムの数は、本思想の創造的な着想の観点から、どのようにも限定されない。
【００２３】
図１はまた、エレベータシステムの制御の少なくとも一部を行う制御システムの少なくともいくつかの態様を概略的に示す。群制御部170と称する装置は、エレベータシステムの動作の少なくとも一部を制御するように構成されていてもよい。群制御部170は、入力信号を受信して既定のエンティティに出力信号を生成するように構成されてもよい。例えば、乗客はエレベータ呼出装置180を用いて、乗客がエレベータシステムに対するサービス要求を示すことができる。エレベータ呼出装置180は、例えば、乗客がエレベータかご115、120、155、160に出入りできる階床に配置されてもよい。呼信号は群制御部170に送信されるが、群制御部170は、そのエレベータ呼に対処するエレベータかご115、120、155、160を決定する動作を実行するように構成されていてもよい。群制御部170は、エレベータかごの決定に応じてエレベータ呼に対処する動作をとるよう１つ以上のエレベータかご115、120、155、160に指示をする出力信号、例えば制御信号を生成するように構成されていてもよい。制御信号とは、例えば、１つ以上のエレベータかご115、120、155、160の動力生成手段を制御する情報を担持する信号のことを意味する。群制御部は、エレベータシステムおよび／またはそのサブシステムをモニタおよび制御するように構成されたデータセンタなどの外部エンティティと通信するように構成されていてもよい。群制御部170との送受通信は、説明したようなエンティティ間の通信が確立できるように無線または有線方式によって構成されてもよい。
【００２４】
本発明の実施形態によると、群制御部170は、エレベータシステムのサービス品質を表す１つ以上の値を判定するような構成を採ってもよい。サービス品質とは、エレベータシステムがどの程度効率的に１人または複数の乗客に対処できるかを示す少なくとも１つの値ということができる。サービス品質についての値は、例えば、少なくとも１人の乗客の少なくとも１回の待ち時間、すなわち、乗客がサービスの必要性に応じてエレベータ呼などのサービス要求を発した後にエレベータシステムによって対処されるまでに少なくとも１人の乗客がどの程度待つ必要があるのかを表す判定値によって表されてもよい。１つまたは複数の判定値を１つまたは複数の基準値と比較して、その比較に応じて、検出結果がエレベータシステムの効率を表わすように設定されてもよい。群制御部170は、検出結果に基づいて、少なくとも２つのサブシステム110、150を有するエレベータシステムの動作を制御、例えば調整するように構成されていてもよい。本発明の実施形態によると、群制御部170はエレベータシステムの動作を制御するように構成され、群制御部170が複数のサブシステム110、150を割り当ててサブシステム110、150間で異なる区域において各エレベータ呼に対処するようにしてもよい。言い換えると、エレベータシステムの動作の制御は、少なくとも１つのエレベータサブシステム110、150に、少なくとも１つの他のエレベータサブシステム110、150とは異なる１つ以上の区域に対処させるものである。調整の非限定的な例は、１つのエレベータサブシステム110、150は建物の２階毎にのみ対処するように制御する一方で、他の１つ以上のエレベータサブシステムは各階に対処するように調整するものである。それゆえ、本発明は、説明するような動的ゾーニングによって効率的な態様で乗客に対処するようにエレベータシステムを調整する装置を提供する。動的ゾーニングとは、本説明では、サブシステムが異なる方式で区域に対処する調整のことを指し示すものといえる。
【００２５】
動的ゾーニングは、サブシステム110、150の各々に対するデータテーブルを管理するよう群制御部170を構成することによって実現してもよい。これによって、データテーブルは、ある瞬間において当該のサブシステム110、150がどの区域、例えば階床に対処することになるのかという情報をサブシステム110、150の各々に対して管理する。ここで、群制御部170は、受信したエレベータ呼を処理する場合、いつサブシステム110、150を選択してエレベータ呼に対処するのか、すなわち、どのサブシステムに対して、さらには選択されたサブシステムにおけるどのエレベータかご115、120、155、160に対してエレベータ呼への対処を割り当てるのかについて、データテーブルの情報を考慮する。
【００２６】
次に、本発明の実施形態に係る方法の例を、図２を参照して説明する。本方法は、エレベータシステムに属する少なくとも１つのエレベータサブシステム110、150の制御に関する。このエレベータシステムは、図１との関連で述べたように、複数のエレベータサブシステム110、150を有し、各エレベータサブシステムは２つの水平区間によって相互に連結された第１の垂直区間および第２の垂直区間を含むループ径路内を走行するように配設された少なくとも１つのエレベータかご115、120；155、160を有する。少なくとも１つのエレベータかご115、120；155、160は、ループ径路の第１の垂直区間では上昇し、ループ径路の第２の垂直区間では下降するように構成されている。本方法では、エレベータシステムの効率の判定210およびエレベータシステムの効率に応じた少なくとも１つのエレベータサブシステム110、150の制御220がなされ、上述のように、少なくとも１つの他のエレベータサブシステム110、150とは異なる区域でエレベータ呼に対処する。
【００２７】
本方法では、群制御部170は、効率を判定する基礎となり得る既定のパラメータを決めることによってエレベータシステムの効率の判定210をするような構成を採ってもよい。効率の判定210の一例を図３で概略的に示す。効率の判定210では最初に、少なくとも１人の乗客によるサービスの要求からエレベータシステムによる少なくとも１人の乗客への要求されたサービスの提供までの少なくとも１回の待ち時間などを示す値の判定310をしてもよい。言い換えると、群制御部170は、例えば乗客によって示されたサービス要求を受信すると、タイマを起動させて、サブシステムのうちの１つおよびサブシステムのエレベータかご115、120；155、160に指示し、サービスの提供が完了するまでモニタすることができる。サービス提供の完了とは、乗客がエレベータかご115、120；155、160に乗り込む状況、または乗客の目的地に到達する状況も挙げられる。サービス提供が完了すると、タイマは停止する。群制御部170は、例えば上述の方法において、１つまたは複数の値を判定し、判定値をそのまま使用して、または、所定期間にわたる平均値を計算するなど判定値の統計的解析を実行して、待ち時間を示す値を生成するように構成されてもよい。また、群制御部170は、群制御部170がアクセスするデータ格納部から受信する基準値を読み出すように構成することができる。かかるデータ格納部は、１つ以上の基準値を記憶するように構成されている。この読出し動作は、データ格納部から読み出す基準値を直接または間接的に定義づけるパラメータを含んで実行されてもよい。群制御部は、基準値を受信すると、判定値と基準値との比較320を行い、さらに検出結果の設定330を行ってエレベータシステムの効率を示すように構成することができる。比較結果は、待ち時間が基準値を超えるのか、または基準値未満であるのかというもので構わない。言い換えると、基準値は最大許容待ち時間を定義するものでよく、比較結果は検出結果の設定によって表示される。検出結果は、例えば、現時点では所望の水準で乗客に対処していない、すなわち、判定値310が基準値を超えている場合もあれば、検出結果はエレベータシステムが所望の水準で乗客に対処しているというものである場合もある。乗客が所望の水準で対処されていないとの検出に応じて、群制御部170は少なくとも１つのサブシステムの制御220をする制御信号を生成してサブシステムの動作モードを変更するような構成を採ってもよい。すなわち、群制御部170は、少なくとも１つのエレベータサブシステム110、150に、少なくとも１つの他のエレベータサブシステム110、150とは異なる区域でエレベータ呼に対処する許可を与える設定に構成されていてもよい。言い換えると、少なくとも１つのエレベータサブシステム110、150に対して、少なくとも１つの他のエレベータサブシステム110、150とは異なる区域に対処するよう指示を与えることによって、エレベータシステムを所定の効率範囲内で動作させることができる。すなわち、乗客は許容可能なサービス水準の範囲内の対処を受ける。
【００２８】
本発明の実施形態によると、エレベータシステムの効率を区域毎に判定することができる。区域とは、例えば、区域として定義される１または複数の階床を意味するといえる。本実施形態によると、群制御部170は、定義された１または複数の区域に関してエレベータシステムの効率を表す少なくとも１つの値を判定するように構成されていてもよい。例えば、群制御部170は、上述した方式などによって各区域について待ち時間を判定し、説明した方式などによって比較320の実行をしてもよい。実施形態によっては、すべての区域に共通する比較値があるが、各区域に対する専用の比較値、すなわち、各区域に対する個別の基準値があるような構成を採ってもよい。１つまたは複数の比較値は、群制御部170にアクセス可能なデータ格納部に記憶されてもよく、群制御部170は、１つまたは複数の比較値を記憶部から取得して、図３で概略的に示すような方式で比較を実行することができる。群制御部170は、比較320に応じて区域毎に検出結果の設定330を行うような構成を採り、エレベータシステムによって提供されるサービスが区域を踏まえた要求を満たすものであるか否かを示してもよい。結果として、群制御部170は少なくとも１つの区域のサービス水準が許容可能な水準内にないと判定し、このような検出に応じて群制御部170は少なくとも１つのサブシステム110、150の動作を最適化して、許容可能なサービス水準を受けていない少なくとも１つの区域のサービスを改善することができることとなる。言い換えると、群制御部170は、少なくとも１つのサブシステム110、150にその動作モードを変更するよう指示するような構成を採ることによって、例えば比較320に基づいたのではサービスレートが許容できない区域でのみ生ずるエレベータ呼に対処することを、その少なくとも１つのエレベータサブシステム110、150に対して許可してもよい。当然ながら、群制御部170は、説明の通りに動作モードが設定されているエレベータサブシステム110、150において、一階など入口を有する区域に入場することは常に許可するなど、上述の設定ルールの他に特定のルールを規定してもよい。実施形態によると、エレベータシステムのサービス水準は、動的ゾーニングを通じて最適化および均衡化され得る。
【００２９】
図４は、本発明の実施形態に係る群制御部170の一例を概略的に示す。群制御部170は、少なくとも、エレベータシステムからデータを受信し受信データを処理して既述の方法を実行するように構成されていてもよい。群制御部170は、１つ以上の処理部410、１つ以上の記憶部420および１つ以上の通信インタフェース430を有していてもよく、これらのエンティティは、データバスなどによって相互に通信可能に接続されてもよい。通信インタフェース430は、群制御部170をエレベータシステムおよびシステム内のエンティティに結合するために必要なハードウェアおよび機能を備えていてもよい。通信インタフェース430は、有線もしくは無線通信プロトコルまたはその双方を実行するような構成を採り得るものであり、プロトコル実行に必要なハードウェアを有する。さらに、説明したような方式における群制御部170の動作は、例えば、１つ以上の記憶部420に記憶されたコンピュータプログラムコード425の各部を実行することによって、１つ以上の処理部410によって少なくとも部分的に制御され得る。言い換えると、コンピュータプログラムコード425は、コンピュータプログラムコード425の少なくとも一部が処理部410によって実行されると、群制御部170を記載のように動作させる命令を定義することができる。図４で概略的に示す群制御部170は、群制御部170の要素をすべて含んでいるわけではない。例えば、群制御部170を動作させるために必要な電源関連の要素は、図４には示されていない。さらに、本発明の実施形態によっては、群制御部170は、群制御部170が複数の処理部410を有して各処理部410がエレベータシステムおよび同システムのエンティティからデータを受信するように配置されるような構成を採ってもよい。このような方式では、群制御部170におけるデータ処理の効率を高めるとともにエレベータシステムの信頼性を向上させることができる。
【００３０】
本発明のいくつかの態様は、群制御部170の処理部410などの少なくとも１つの処理部によって実行されると群制御部170に上述の方法を実行させる、コンピュータ可読媒体に記憶されたコンピュータプログラム製品に関するものであってもよい。
【００３１】
明細書に記載された上記具体例は、添付の特許請求の範囲の適用可能性および／または解釈を限定するものと理解すべきではない。本明細書に記載された上記の一覧および群の例は、明らかにそれと異なる記載がなき限り網羅的なものではない。
【図１】
2021526493.tif 000003
【図２】
2021526493.tif 000004
【図３】
2021526493.tif 000005
【図４】
2021526493.tif 000006
【手続補正書】
【提出日】令和2年12月21日(2020.12.21)
【手続補正１】
【補正対象書類名】特許請求の範囲
【補正対象項目名】全文
【補正方法】変更
【補正の内容】
【特許請求の範囲】
【請求項１】
それぞれが２つの水平区間によって相互に連結された第１の垂直区間および第２の垂直区間を含むループ径路内を走行するように配置された少なくとも１つのエレベータかごを有する複数のエレベータサブシステムを備え、前記少なくとも１つのエレベータかごは前記ループ径路の第１の垂直区間を上昇して前記ループ径路の第２の垂直区間を下降するように構成され、さらに、
該複数のエレベータサブシステムを制御するように構成されている群制御部とを備えるエレベータシステムにおいて、前記群制御部は、
該エレベータシステムの効率を判定し、
該エレベータシステムの効率に応じて、少なくとも１つのエレベータサブシステムを、少なくとも１つの他のエレベータサブシステムとは異なる区域においてエレベータ呼に対処するよう制御するように構成されていることを特徴とするエレベータシステム。
【請求項２】
請求項１に記載のエレベータシステムにおいて、前記群制御部は、
各区域について、該区域に対する該エレベータシステムの効率を示す値を判定すること、
該判定された値の各々を対応する基準値と比較すること、および、
検出結果を設定して各区域に関する該エレベータシステムの効率を示すことによって、該エレベータシステムの効率を判定するように構成されていることを特徴とするエレベータシステム。
【請求項３】
請求項２に記載のエレベータシステムにおいて、前記対応する基準値は、すべての区域に対する共通の基準値または各区域に対して個別に規定された専用の基準値のうちいずれか一方であることを特徴とするエレベータシステム。
【請求項４】
請求項１ないし３のいずれかに記載のエレベータシステムにおいて、前記エレベータシステムの効率を判定するときに用いられる前記値は、前記区域における待ち時間であることを特徴とするエレベータシステム。
【請求項５】
エレベータシステムにおける少なくとも１つのエレベータサブシステムの制御方法であって、前記エレベータシステムは複数のエレベータサブシステムを備え、
該エレベータサブシステムのそれぞれは、２つの水平区間によって相互に連結された第１の垂直区間および第２の垂直区間を含むループ径路内を走行するように配置された少なくとも１つのエレベータかごを有し、該少なくとも１つのエレベータかごは前記ループ径路の第１の垂直区間を上昇して前記ループ径路の第２の垂直区間を下降するように構成され、該方法は、
前記エレベータシステムの効率を判定し、
前記エレベータシステムの効率に応じて、少なくとも１つのエレベータサブシステムを、少なくとも１つの他のエレベータサブシステムとは異なる区域においてエレベータ呼に対処するように制御することを特徴とする制御方法。
【請求項６】
請求項５に記載の方法において、前記エレベータシステムの効率は、
各区域について、該区域に対する前記エレベータシステムの効率を示す値を判定し、
該判定された値の各々を対応する基準値と比較し、
検出結果を設定して各区域に関する前記エレベータシステムの効率を示すことによって判定されることを特徴とする方法。
【請求項７】
請求項６に記載の方法において、前記対応する基準値は、すべての区域に対する共通の基準値または各区域に対して個別に規定された専用の基準値のうちいずれか一方であることを特徴とする方法。
【請求項８】
請求項５ないし７のいずれかに記載の方法において、前記エレベータシステムの効率を判定するときに用いられる前記値は、前記区域における待ち時間であることを特徴とする方法。
【請求項９】
少なくとも１つの処理部と、
コンピュータプログラムコードを含む少なくとも１つの記憶部とを有する群制御部であって、
前記少なくとも１つの記憶部および前記コンピュータプログラムコードは、前記少なくとも１つの処理部によって該群制御部を制御して、
前記エレベータシステムの効率を判定させ、さらに、
前記エレベータシステムの効率に応じて、少なくとも１つのエレベータサブシステムを、少なくとも１つの他のエレベータサブシステムとは異なる区域においてエレベータ呼に対処するように構成されていることを特徴とする群制御部。
【請求項１０】
少なくとも１つの処理部によって実行されると群制御部に請求項５ないし８のいずれかに記載の方法を実施させるエレベータシステムを制御するコンピュータプログラム製品。
【国際調査報告】
2021526493.tif 000007
2021526493.tif 000008